(57)【要約】【課題】災害時の避難場で、カーテンとして備蓄した多用途のユニットを、避難生活に有用な簡易テント、間仕切り、担架、作業着等に転用して使用する。【解決手段】ユニット４０はシート状で、基準折り線２で分けた基材３、基材１９及び基材３に固定した連結材２６とからなる。ユニット４０を横に並べ、隣接する縦縁５、２０をファスナー片１０Ａ、１０Ｂで連結し、カーテンとする。ユニット４０の補強材収容部１１、１５、３７にパイプを収納して基材３の縁２２に連結材２６を連結して保形し、基準折り線２を頂点として、基材３、１９を斜辺、連結材２６を底辺として三角形状に組立て、連結してテントや間仕切りとする。テントでは連結材２６を長さＬ２で使用し、間仕切りでは長さＬ３で使用する。同様にパイプを入れたユニット４０を基準折り線２で二つ折りにし、基材３、１９を重ね、ファスナー片１０Ａ、１０Ｂで縁５、２０を連結し担架とする。【選択図】図１
2004041710.tif 000002
【特許請求の範囲】
【請求項１】
以下の構成とすることを特徴とする他用途ユニット。
（１）　柔軟性を有する材料からなり、所定長さで構成したシート状基体の長さ方向の中間位置に、長さ方向と直角に基準折り線を形成し、該基準折り線を挟んで、両側に第一基材、第二基材を夫々形成する。
（２）　前記両基材で、長さ方向の両縁に沿って、補強材収容部を形成する。
（３）　前記第一基材の自由縁側に、シート状の連結材の一縁を着脱可能に取付ける。
（４）　前記連結材に、第二基材と着脱できる係止部材を取り付け、前記第二基材の自由端側に、係止部材と係止する受部材を取り付ける。
（５）　シート状基体の長さ方向の一縦縁に係脱手段を形成し、他縦縁に前記係脱手段と係脱できる係脱手段を形成する。
【請求項２】
以下の構成とすることを特徴とする他用途ユニット。
（１）　柔軟性を有する材料からなり、所定長さで構成したシート状基体の中間位置に、長さ方向と直角に基準折り線を形成し、該基準折り線を挟んで、両側に第一基材、第二基材を夫々形成する。
（２）　前記両基材で、長さ方向の両縁に沿って、補強材収容部を形成する。
（３）　前記第一基材の自由縁側に、シート状の連結材の一縁を連設する。
（４）　前記連結材に、第二基材と着脱できる係止部材を取り付け、前記第二基材の自由端側に、前記係止部材と係止する受部材を取り付ける。
（５）　シート状基体の長さ方向の一縦縁で、第一基材側、第二基材側に互いに係脱できる係脱手段を形成し、他縦縁で、第一基材側、第二基材側に互いに係脱できる係脱手段を形成する。
【請求項３】
以下の構成とすることを特徴とする請求項１又は２記載の他用途ユニット。
（１）　複数の多用途ユニットに、カーテン吊り片を組み合わせる。
（２）　第一基材の自由縁に、第二係脱手段を形成する。
（４）　前記カーテン吊り片は、所定枚数の多用途ユニットの幅に対応した幅を有すると共に、吊り手段を有する。
（５）　前記カーテン吊り片に、各多用途ユニットの前記第二係脱手段に対応した係脱手段を形成する。
【請求項４】
設置されている既設のカーテンに、多用途ユニットが着脱自在となるように、前記カーテン及び前記多用途ユニットの一方又は両方に着脱手段を形成したことを特徴とする請求項１又は２記載の多用途ユニット。
【請求項５】
基準折り線の周辺に、頭を挿通できる切込みを形成し、切込みの縁に、切込みを開閉する為の係脱手段を夫々形成したことを特徴とする請求項１又は２記載の他用途ユニット。
【請求項６】
各係脱手段は、リバーシブルなファスナー片とすると共に、連結材の係止部材は、連結材の他縁付近の第一係止部材と、連結材の中間位置の第二係止部材としたことを特徴とする請求項１又は２記載の多用途ユニット。
【発明の詳細な説明】
【０００１】
【発明の属する技術分野】
この発明は、１つのシート状の材料をベースにして、単独であるいは組み合わせることにより変化して、簡易テント、間仕切り、簡易担架、カーテン、衣類等を構成できる多用途ユニットに関する。
【０００２】
【従来の技術】
一般に自治体では、災害時の緊急避難所として体育館等の公共施設を選定しており、住民は、広い体育館等で見ず知らずの大集団の中で、避難生活を余儀なくされる。ここで、使用される物資は、避難場所内あるいは専用の備蓄庫などで保管されていた。例えば、居住区画を仕切る間仕切りや眠るための簡易テントは、用意されておらず、数日後に、ダンボールなどを集めて使用して、代用されていた。
【０００３】
【特許文献１】特開平１０−２９５５３７号　公報
【０００４】
【特許文献２】実開平７−３６８７４号　公報
【０００５】
【発明が解決しようとする課題】
食糧、医療品、燃料類、工具類等は備蓄庫、防災倉庫の既存の設備で、整っている。取り敢えず、最低限の雨風をしのぐ程度の内容しか考慮されておらず、とりわけ、精神面での考慮・ケアは遅れがちである。
【０００６】
例えば、避難所では、寝る時に面識の無い人達が見える、疲労、ストレス、不安、等により眠れない日々が続くことも多い。混沌とした避難所の空間を仕切ることにより、秩序を生み、プライバシーを確保することが必要とされる。とりわけ、病人や高齢者、乳児などの災害弱者にはより安心できる居住空間を確保することが求められている。
【０００７】
一般にこのような、対応は、必要不可欠とは認識が弱く、備蓄の対象となっておらず、対応が遅れがちになる傾向にある問題点があった。
【０００８】
従って、この発明は、このような問題を解決し、避難生活初日から、プライバシーを確保して、安心した避難生活をおくれるようにする多用途の器材を提供することを目的とする。
【０００９】
また、この発明は、多用途の器材を主にカーテンとして備蓄することを可能とするものであるが、特許文献１には分割可能なカーテン、特許文献２には吊り下げ具が着脱可能なカーテンが夫々開示されているが、前記目的等については記載されていない。
【００１０】
【課題を解決するための手段】
然るにこの発明では、第一基材と第二基材とからなるシート状の基体で、連結材、補強材収容部、係脱手段を設けて多用途ユニットを構成したので、従来の問題点を解決した。
【００１１】
即ち、この発明は、以下の構成とすることを特徴とする他用途ユニットである。
（１）　柔軟性を有する材料からなり、所定長さで構成したシート状基体の長さ方向の中間位置に、長さ方向と直角に基準折り線を形成し、該基準折り線を挟んで、両側に第一基材、第二基材を夫々形成する。
（２）　前記両基材で、長さ方向の両縁に沿って、補強材収容部を形成する。
（３）　前記第一基材の自由縁側に、シート状の連結材の一縁を着脱可能に取付ける。
（４）　前記連結材に、第二基材と着脱できる係止部材を取り付け、前記第二基材の自由端側に、係止部材と係止する受部材を取り付ける。
（５）　シート状基体の長さ方向の一縦縁に係脱手段を形成し、他縦縁に前記係脱手段と係脱できる係脱手段を形成する。
【００１２】
また、他の発明は、以下の構成とすることを特徴とする他用途ユニットである。
（１）　柔軟性を有する材料からなり、所定長さで構成したシート状基体の中間位置に、長さ方向と直角に基準折り線を形成し、該基準折り線を挟んで、両側に第一基材、第二基材を夫々形成する。
（２）　前記両基材で、長さ方向の両縁に沿って、補強材収容部を形成する。
（３）　前記第一基材の自由縁側に、シート状の連結材の一縁を連設する。
（４）　前記連結材に、第二基材と着脱できる係止部材を取り付け、前記第二基材の自由端側に、前記係止部材と係止する受部材を取り付ける。
（５）　シート状基体の長さ方向の一縦縁で、第一基材側、第二基材側に互いに係脱できる係脱手段を形成し、他縦縁で、第一基材側、第二基材側に互いに係脱できる係脱手段を形成する。
【００１３】
また、前記において、以下の構成とすることを特徴とする他用途ユニットとすることもできる。
（１）　複数の多用途ユニットに、カーテン吊り片を組み合わせる。
（２）　第一基材の自由縁に、第二係脱手段を形成する。
（４）　前記カーテン吊り片は、所定枚数の多用途ユニットの幅に対応した幅を有すると共に、吊り手段を有する。
（５）　前記カーテン吊り片に、各多用途ユニットの前記第二係脱手段に対応した係脱手段を形成する。
【００１４】
また、前記において、設置されている既設のカーテンに、多用途ユニットが着脱自在となるように、前記カーテン及び前記多用途ユニットの一方又は両方に着脱手段を形成したことを特徴とする多用途ユニットとすることもできる。
【００１５】
また、前記において、基準折り線の周辺に、頭を挿通できる切込みを形成し、切込みの縁に、切込みを開閉する為の係脱手段を夫々形成したことを特徴とする他用途ユニットとすることもできる。
【００１６】
更に、前記において、各係脱手段は、リバーシブルなファスナー片とすると共に、連結材の係止部材は、連結材の他縁付近の第一係止部材と、連結材の中間位置の第二係止部材としたことを特徴とする多用途ユニットとすることもできる。
【００１７】
前記におけるカーテンとは、開口部を覆い、光を遮るシート状の材料で、いわゆるカーテンの他、暗幕類、アコーディオンカーテン、ロールスクリーン（ロールカーテン）等も含む。
【００１８】
また、前記におけるカーテンとの着脱手段は、係脱手段と共用することもでき、あるいは係脱手段とは別途に形成することもできる。
【００１９】
また、前記における「第一基材の自由縁側に、シート状の連結材の一縁を連設する」とは、別部材の連結材をシート状基材に固定して構成する場合、別部材をシート状基材の一部に予め組み込んで同様の構造を構成する場合の何れも含む。
【００２０】
【発明の実施の形態】
この発明の多用途ユニット４０は、シート状の基体１を、横方向の基準折り線２で分け、上側を第一基材３、下側を第二基材１９とし、第一基材３の上縁部（自由縁６部）に連結材２６の一縁２７を取り付けてある。また、基体１の縦縁４、５、２０、２１に形成した補強材収容部１１、１１に、別途用意した補強材４７を挿入できるようになっている。また、連結材２６は、第二基材１９の受金具３５と連結できる第一留め片３０、第二留め片３１を取り付けてある。また、第一基材３、第二基材１９の縦縁４、５、２０、２１には互いに、他の係脱手段と係脱できる係脱手段を形成してある。係脱手段としては、例えば、１組のファスナー片、１組の面ファスナー片など互いに係脱できる１組の係脱片から構成される（図１）。
【００２１】
前記において、多用途ユニット４０は、シート状の基体１から構成するので、保管にかさ張らず、畳んで、保管場所（備蓄庫等）に保管することもできるが、保管スペースを少なくする為に、通常状態では、体育館等の避難場所のカーテン４５として使用し保管しておくことが望ましい（図５等）。この場合、多用途ユニット４０の縦寸法Ｌ０は、カーテンの一般的な縦寸法（例えば、２８００ｍｍ）に合わせて形成される。また、多用途ユニット４０の横幅Ｄは、カーテンの一般的な横寸法（例えば、横４８００ｍｍ）を複数に等分割した長さ（例えば、８分割した６００ｍｍ、６分割した８００ｍｍなど）で形成される（図２、図４、５）。
【００２２】
また、多用途ユニット４０の幅Ｄは、簡易担架５５として使用する場合には、大人１人を寝かせて運べる大きさ４００〜８００ｍｍ程度とすることが望ましい（図２、図９）。
【００２３】
また、多用途ユニット４０の幅Ｄは、衣類６１として使用する場合に、大人１人の肩幅に対応させて、４００〜８００ｍｍとすることが望ましい（図２、図１０）。
【００２４】
従って、多用途ユニット４０を共通する大きさで構成すれば、カーテン４５として備蓄した多用途ユニット４０の１つ又は複数を組み合わせて使用し、テント５３（図７、図８（ｂ））、間仕切り（ついたて）５０（図６、図８（ａ））、簡易担架５５、作業用の衣類６１等に転用できる。
【００２５】
【実施例１】
図面に基づきこの発明の実施例を説明する。
【００２６】
［１］多用途ユニット４０の構成（図１、２）
【００２７】
（１）　所定強度で、柔軟性を有するシートからなり、全長Ｌ０（＝２８００ｍｍ）、幅Ｄ（＝６００ｍｍ）の長方形のシート状基体１を構成し、シート状基体１を長さ方向に２分割する位置に、長さ方向と直角に、基準折り線２を形成する。基準折り線２で分割された一方（上側）を第一基材３、他方（下側）を第二基材１９とする。両基材３、１９はいずれも長さＬ１（＝１４００ｍｍ）で形成されている（図１（ａ）、図２）。また、シート状基体１の横縁、即ち、基準折り線２に並列した第一基材３の縁を自由端縁６、基準折り線２に並列した第二基材１９の縁を自由端縁２２とする。
【００２８】
（２）　第一基材３の長さ方向に平行な縦縁４、５の内、一方の縦縁４で、縦縁４に沿った裏面８側に、スライド金具を付けたファスナー片１０Ａを取付ける。また、他方の縦縁５で、縦縁５に沿った裏面８側に、スライド金具の無いファスナー片１０Ｂを取付ける。縦縁４、５の裏面８側に、ファスナー片１０Ａ、１０Ｂに沿って（即ち、縦縁４、５に沿って）筒型袋状の補強材収容部１１、１１を夫々取り付ける。ファスナー片１０Ａ、１０Ｂは、縦縁４、５部分と補強材収容部１１、１１に挟まれるように配置される。補強材収容部１１は、両端を閉じてあり、自由端縁６に近接した位置（自由端縁６から１ｃｍ程度）に、補強材の挿入口１２を形成してある。
【００２９】
また、第一基材片３の自由端縁６に近接して、自由端縁６と平行に、袋型筒状の補強材収容部１５を形成する。自由端縁６の裏面８側に、補強材収容部１５に沿って（即ち、自由端縁６に沿って）、スライド金具を付けたファスナー片１４Ａを取り付ける。ファスナー片１４Ａは、補強材収容部１５より自由端縁６側に位置している。補強材収容部１５は、両端を閉じてあり、一方の縦縁４に近接した位置（縦縁４から１ｃｍ程度）に、補強材の挿入口１６を形成してある。
【００３０】
（３）　同様に、第二基材片１９の縦縁２０、２１の内、一方の縦縁２０で、縦縁２０に沿った裏面２４側に、スライド金具が無いファスナー片１０Ｂを取付ける。また、他方の縦縁２１で、縦縁２１に沿った裏面２４側に、スライド金具を付けたファスナー片１０Ａを取付ける。縦縁２０、２１の裏面８側に、ファスナー片１０Ｂ、１０Ａに沿って（即ち、縦縁２０、２１に沿って）筒型袋状の補強材収容部１１、１１を夫々取り付ける。ファスナー片１０Ｂ、１０Ａは、縦縁２０、２１部分と補強材収容部１５、１５に挟まれるように配置される。補強材収容部１５は、両端を閉じてあり、自由端縁２２に近接した位置（自由端縁２２から１ｃｍ程度）に、補強材の挿入口１２を形成してある。
【００３１】
また、第二基材片１９の自由端縁２２に近接して、自由端縁２２と平行に、袋型筒状の補強材収容部１５を形成する。補強材収容部１５は、両端を閉じてあり、一方の縦縁２０に近接した位置（縦縁から１ｃｍ程度）に、補強材の挿入口１６を形成してある。
【００３２】
（４）　前記における両基材片３、１９の縦縁４、５、２０、２１側のファスナー片１０Ａ、１０Ｂは、補強材収容部１１、１１を潰した状態（補強材を収容しない状態）で、縦縁４、５、２０、２１部分と補強材収容部１１、１１に挟まれて、通常状態で、表面７、２３又は裏面８、２４からは見えない。同様に、第一基材３の自由縁６側のファスナー片１４Ａも、通常状態で、表面７側からは見えない。
【００３３】
また、前記におけるファスナー片１０Ａ、１０Ｂ、１４Ａ、１４Ｂは、表裏がない、いわゆるリバーシブルファスナーで、スライド金具を有するファスナー片１０Ａ（１４Ａ）とスライド金具の無いファスナー片１０Ｂ（１４Ｂ）とを任意に組み合わせて、これを閉じることができる。
【００３４】
（５）　また、基準折り線２に沿って、筒型袋状の補強材収容部３７を形成する。補強材収容部３４は、両端を閉じてあり、一方の縦縁４（縦縁２０）に近接した位置（縦縁から１ｃｍ程度）に、補強材の挿入口３８を形成してある。
【００３５】
（６）　第一基材片３の裏面８側に、クッション性を有する材料（例えば、フェルト製）からなるシート状で長方形の連結材２６を重ね、連結材２６の一縁２７側を第一基材片３の自由端縁６に沿って固定する。連結材２６の一縁２７は、ファスナー片１０Ａに沿ってファスナー片１０Ａより若干内側（基準折り線２側）に配置される。また、連結材２６の縦縁２８、２９は、第一基材片３の縦縁４、５に沿って、かつ縦縁４、５より若干内側に配置される。また、連結材２６は、長さＬ２（Ｌ２＝１２００ｍｍ程度）で形成され、第一基材片３より短く形成されている（Ｌ１＞Ｌ２）。
【００３６】
（７）　連結材２６の他縁２８部の両端部及び中央部の３箇所に、夫々第一留め片３０の一側を取付ける。第一留め片３０は、ホック金具（スナップボタン）３２を有し、ホック金具３２は他縁２８より基準折り線２側に突出し、ホック金具３２の留め口は、第一基材片３の裏面８側に向けてあり、第一基材片３の裏面８にホック金具３２と係合する第一受金具３４、３４を３つ取付ける。第一受金具３４、３４は、広げた状態の連結材２６の第一留め片３０、３０のホック金具３２、３２に対応した位置に、設けてある。
【００３７】
また、連結材２６の一縁から距離Ｌ３の位置に、同一のホック金具３２を有する３つの第二留め片３１の一側を夫々取付ける。第二留め片３１は、第一留め片３０と同一の間隔で、留め口を第一基材片３の裏面８側に向けて、取付けられている。
【００３８】
また、第二基材片３の自由端２２側に同様に、ホック金具３２の第二受け金具３５、３５を３つ取り付ける。第二受け金具３５、３５は、第一受け金具３４、３４と同一間隔で取り付ける。第二受け金具３５は、留め口を表面２３側に向けて取り付けてある。
【００３９】
また、前記におけるＬ２（Ｌ２＝１２３０ｍｍ）は、テントの底辺の長さ、Ｌ３（Ｌ３＝３６０ｍｍ）は間仕切りの底辺の長さに対応して、夫々設定されている（図１（ｂ）、図８（ａ）（ｂ））。
【００４０】
（８）　以上のようにして、多用途ユニット４０を構成する（図１、図２）。
【００４１】
［２］多用途ユニット４０の使用
【００４２】
この多用途ユニット４０を使用する際には、
・多用途ユニット４０　　８枚
・カーテン吊り片４２　　１枚
・ステンレスパイプ４７（長）
４本／多用途ユニット１枚につき
・ステンレスパイプ４８（短）
３本／多用途ユニット１枚につき
を基本構成とする（図２、図４）。
【００４３】
（１）　カーテン４５としての使用（図４、図５）
【００４４】
多用途ユニット４０、４０は、８枚を並列して配置し、隣り合うファスナー片１０Ａ、１０Ｂを互いに閉じて、隣接する多用途ユニット４０、４０を接合する。並列して連結した８枚の多用途ユニット（縦２８００ｍｍ×横４８００ｍｍ）４０、４０の上方に、８枚に相当する長さ（約４８００ｍｍ）のカーテン吊り片４２を配置する。
【００４５】
カーテン吊り片４２は、横長で、下縁４４に各第一基材片３の自由端縁６のファスナー片１４Ａに対応して、即ち長さＤ（＝８６００ｍｍ）程度のファスナー片（スライド金具が無い）１４Ｂが、長さ方向に沿って縦列して取り付けてある。また、カーテン吊り片４２の上縁４３側には、カーテンレールの金具に係止するためのフックが所定間隔で取り付けてある（図示していない）。
【００４６】
次に、カーテン吊り片４２の各ファスナー片１４Ｂ、１４Ｂと各多用途ユニット４０、４０の第一基材片３、３のファスナー片１４Ａ、１４Ａとを連結して、カーテン４５を構成する（図５）。カーテン４５、即ち、カーテン吊り片４２に連結した多用途ユニット４０、４０は、通常のカーテンと同様に、カーテン吊り片４２のフックをカーテンレール又はカーテンレールを移動する金具に取り付けて使用する。
【００４７】
例えば、８００ｍ２程度の体育館の場合、カーテン４５は、２０枚程度必要であり、多用途ユニットを１２０枚を備蓄できる。
【００４８】
逆に、カーテン４５として、備蓄して使用していた状態から、個々の多用途ユニット４０に戻す場合には、カーテン４５をカーテンレールから取り外し、ファスナー片１４Ａ、１４Ｂを操作して、カーテン吊り片４２を外し、連結した多用途ユニット４０、４０を、ファスナー片１０Ａ、１０Ｂを操作して分離する（図４）。
【００４９】
この際、ファスナー片１０等を使用したので、連結分解が容易にでき、更に、ファスナー片１０等は、リバーシブルファスナーを使用したので、極めて短時間に作業ができる。
【００５０】
また、カーテンとして備蓄する際に、個々の多用途ユニット４０、４０を連結して、フック等を有するカーテン吊り片４２に取り付けて使用したが、他の手段とすることもできる。例えば、各多用途ユニット４０を単独又は２つ程度連結した状態で、スライド式のレール（例えば、トーソー株式会社の「ユニティー」）に取り付けて使用することもできる（図示していない）。この場合には、備蓄状態から取り外す際に、連結した多用途ユニット４０、４０を分解する手間が省ける。
【００５１】
（２）　間仕切り５０、５０ａとしての使用
【００５２】
Ｌ１（１４００ｍｍ）より若干短いステンレスパイプ４７、Ｄ（８００ｍｍ）より若干短いステンレスパイプ４８を使用する。
【００５３】
補強材収容部１１、１１（全４箇所）に開口１２、１２から、矢示６２方向にステンレスパイプ（補強材）４７を先端側から挿入する。同様に、補強材収容部１５、３７（全３箇所）に開口１６、３８から、矢示６３方向にステンレスパイプ（補強材）４８を先端側から挿入する（図２）。
【００５４】
ステンレスパイプ４７、４８の後端側は、補強材収容部１１、１５の他側の端部に覆われるので、基材片３、１９の表面７、２３、裏面８、２４のいずれの側にも、ステンレスパイプ４７、４８の端縁が表れないので、組立作業中に、ステンレスパイプ４７、４８が不慮に外れたり、作業者や、使用者に掛かることが防止でき、安全である。
【００５５】
続いて、連結材２６の第一留め片３０のホック金具３２を第一受け金具３４から外し、第二留め片３１のホック金具３２を第二受け金具３５に係止する。続いて、基準折り線２を頂点として、第一基材３、第二基材１９を斜辺、連結材２６を底辺（Ｌ３）とする三角形状（倒した三角形筒状）に組みたて、間仕切り５０を構成する（図８（ａ）、図６（ｂ））。
【００５６】
また、１つの間仕切り５０を、並べて、あるいは並べた間仕切り５０、５０の隣接するファスナー片１０Ａ、１０Ｂを閉じれば、長い間仕切り５０ａを構成できる（図６（ｂ））。
【００５７】
（３）　テント５３としての使用（図２、図７、図８（ｂ））
【００５８】
前記間仕切り５０と同様に、補強材収容部１１、１１（全４箇所）に開口１２、１２から、矢示６２方向にステンレスパイプ（補強材）４７を先端側から挿入する。同様に、補強材収容部１５、３７（全３箇所）に開口１６、３８から、矢示６３方向にステンレスパイプ（補強材）４８を先端側から挿入する（図２）。
【００５９】
続いて、連結材２６の第一留め片３０のホック金具３２を第一受け金具３４から外し、第一留め片３０のホック金具３２を第二受け金具３５に係止する。続いて、基準折り線２を頂点として、第一基材３、第二基材１９を斜辺、連結材２６を底辺（Ｌ２）とする三角形状（倒した三角形筒状）に組みたて、テント用基材５２を構成する（図８（ｂ）、図７（ａ））。
【００６０】
続いて、テント用基材５２、５２を並べて、あるいは並べたテント用基材５２、５２の隣接するファスナー片１０Ａ、１０Ｂを閉じれば、テント５３を構成できる（図７（ｂ））。この際、最も外側に位置するテント用基材５２のファスナー片１０Ａ、１０Ｂに、ステンレスパイプを挿入していない他の多用途ユニット４０のファスナー片１０Ｂ、１０Ａを連結すれば、ステンレスパイプを挿入していないその多用途ユニット４０で、テントの開口を塞ぐことができる（図７（ｂ））。
【００６１】
テント５３の底を構成する連結材２６、２６は断熱性・クッション性を有する材料から構成すれば、敷く布団類を省略し、あるいは敷く布団類を少なくできる。
【００６２】
また、テント用基材５２から、テントを構成したが、予め複数枚の多用途ユニット４０、４０を横に連結した後に組み立てることもできる。例えば、カーテン４５の状態から、カーテン吊り片４２と取り外し、８枚が連結した状態の多用途ユニット４０、４０の各補強材収容部１１、１５に、ステンレスパイプ４７、４８を挿入して、その後に、各多用途ユニット４０で、第一留め片３０のホック金具３２を第二受け金具３５に係止し、三角形状に組み立て、８連のテントを構成することもできる（図示していない）。尚、間仕切り５０ａの組みたても同様の方法をとることができる。
【００６３】
（４）　簡易担架５５としての使用（図９）
【００６４】
多用途ユニット４０の各補強材収容部１１、１５、３７に、ステンレスパイプ４７、４８を挿入して収容する。続いて、基準折り線２で、第一基材３と第二基材の裏面８、２４が重なるように２つ折りにする。
【００６５】
重なった第一基材の縦縁４と第二基材１９の縦縁２０で、ファスナー１０Ａ、１０Ｂを閉じる（図９（ｂ））。また、重なった第一基材の縦縁５と第二基材１９の縦縁２１で、ファスナー１０Ｂ、１０Ａを閉じる。以上のようにして、簡易担架５５を構成する（図９（ａ））。
【００６６】
簡易担架５５では、通常の担架と同様に、第二基材１９（又は第一基材３）の表面２３に人を乗せて、運搬する。この際、第一基材３、連結材２６、第二基材１９が重なるので、体重を分散できる。
【００６７】
また、簡易担架５５に使用する多用途ユニットでは、補強材収容部１１の両端部を開放した構成として、補強材収容部１１、１１から、ステンレスパイプ４７の両端が突出するような長いステンレスパイプ４７を使用することもできる（図示していない）。この場合には突出したステンレスパイプ４７の両端部を把持部として、担架を持ち上げることができる。
【００６８】
（５）　衣類（作業着）としての使用（図１０、図１１）
【００６９】
衣類として、使用する場合には、前記多用途ユニット４０で、更に、頭を通す開口部を設ける必要がある。即ち、基準折り線２に沿って、基準折り線２の中央２ａから両端に向けて、切込み５７、５７ａを形成し、基準折り線２の中央２ａ（切込み５７、５７ａの境界）から、第二基材１９の自由端縁２２に向けて切り込み５８を形成する。
【００７０】
続いて、切込み５７、５７ａの一側にファスナー片５９Ａ、５９Ａを取付け、切込み５７、５７ａの他側にファスナー片５９Ｂ、５９Ｂを取付ける。また、切込み５８の両側にファスナー片６０Ａ、ファスナー片６０Ｂを夫々取付ける（図１１（ａ）（ｂ））。
【００７１】
衣類として使用しない場合には、ファスナー片５９Ａ、５９Ｂ、ファスナー片６０Ａ、６０Ｂを閉じておけば、前記各用途に使用できる。
【００７２】
衣類として使用する場合には、多用途ユニット４０を基準折り線２で２つ折りにし、第一基材３と第二基材１９とを重ねる。重ねた第一基材３と第二基材１９の縦縁４、２０、縦縁５、２１で、ファスナー片１０Ａ、１０Ｂを閉じる。この際、自由端縁６、２２からファスナー片１０Ａ、１０Ｂを閉じて、基準折り線２に至る中間で、スライド金具を止めておく。前後して、ファスナー片５９Ａ、５９Ｂ、ファスナー片６０Ａ、６０Ｂを開き、衣類６１を構成する（図１０）。
【００７３】
この状態で、自由端縁６、２２側から被り、切込み５７、５７ａ、５８から頭を出し、ファスナー片１０Ａ、１０Ｂを閉じていない縦縁４、２０、縦縁５、２１から手を出すことができる（図１０（ｂ））。また、第一基材片３、第二基材片１９を折り、丈を短く使用することもできる（図１０（ａ））。この衣類６１は、連結材２６を有するので防寒具として最適であり、また各基材３、１９が丈夫な材料で形成されているので作業着としても使用できる。その他各種目的の衣類として使用できる。
【００７４】
［３］他の実施例
【００７５】
（１）　前記実施例において、シート状基体１の材質は、任意であるが、求める機能により種々選択して使用することができる、例えば、簡易担架５５として使用する際には、人を乗せても破損しない材料とすることが必要であるが、簡易テント５３、間仕切り５０、カーテン４５、衣類６１等に限定使用する場合には、強度は要しない。また、多少雨が吹き付ける場所での簡易テント５３で使用する場合には、撥水又は防水加工を施すことが必要である。また、簡易テント５３として使用する場合、寒さ・防音等の為に、断熱・吸音機能を有する材料から構成し、あるいはこれらの材料を積層して構成することもできる。また、カーテン４５として使用する場合には、消防法の防炎性能基準をみたす材料から構成することが必要である（いずれも図示していない）。
【００７６】
（２）　また、簡易テント５３、間仕切り５０、簡易担架５５等で使用する場合には、基材を硬質材料から構成することもできるが、カーテン４５や衣類６１として使用する場合には柔軟な材料から構成する必要がある。
【００７７】
（３）　また、前記実施例において、筒型袋状に形成する各基材３、１９の補強材収容部１１、１５、３７は、袋状の別部材を取り付けし、あるいは各基材３、１９を折って構成することもできる（図示していない）。また、補強材収容部１１，１５、３７は、補強材を各基材３、１９に取付できれば良いので、筒型袋状に限らず、補強材の両端部のみを保持するキャップ状、補強材に巻き付けるバンド状などその構造は任意である（図示していない）。
【００７８】
（４）　また、前記実施例において、補強材は、ステンレスパイプ４７、４８としたので、同一外径であれば比較的強度があり、軽量に形成できるが、目的に応じて材料を選ぶ必要がある。担架の場合には、人を乗せても曲がらない材料・形状とすることが必要である。簡易テント５３や間仕切り５０の場合には、保形できる程度の強度があれば充分である。
【００７９】
（５）　また、前記実施例において、連結材２６は、前記のように簡易テント５３の底辺を形成する材料であり、第一基材片より短く（Ｌ１＞Ｌ２）で形成したが、求める簡易テント５３の形状等により選択して使用され、第一基材片３と同等又は長く形成することもできる（図示していない）。
【００８０】
（６）　また、前記実施例において、ステンレスパイプ４７、４８は、別途備蓄しても良いが、長さ方向に連結してカーテンレールとして備蓄し、あるいは掃除用のモップの柄として備蓄することもできる（図示していない）。また、ステンレスパイプ４７、４８は、カーテンとしての多機能ユニット４０、４０の機能に支障がない範囲で、予め補強材収納部１１，１５、３７に収容しておくこともできる（図示していない）。
【００８１】
（７）　また、前記実施例において、係脱手段として、リバーシブルなファスナー片を使用したので、係脱作業が簡易且つ容易にでき、かつ閉じた状態である程度の強度を有するので、望ましいが、他のファスナー片とすることもできる。また、簡易担架として使用しない場合に、閉じた場合の強度を要さないので、また、毛玉の付着等を考慮しなければ、ファスナー片に代わり、互いに係脱する面ファスナー片（係脱片）等を使用することもできる。また、係脱作業の簡易さを求めなければ、ボタン（係脱片）とボタン孔（係脱片）等その他の互いに係脱できる係脱手段を使用することもできる（いずれも図示していない）。
【００８２】
（８）　前記実施例において、連結材２６は、シート状基材１とは別体のものを取り付けて構成したが、シート状基材１の一部から構成することもできる（図１５（ａ））。即ち、シート状基材１が、連結材２６、第一基材３、第二基材１９に区分される。尚、この場合には、基準折り線２は、シート状基材１の長さ方向の中央（二分割する位置）には位置せず、第一基材３と第二基材１９とは同一形状に形成されない。
【００８３】
この場合、シート状基材１を前記同様にそのままカーテンとして使用することもでき（図１５（ａ））、また、シート状基材１を２つ折りにして（図１５（ｂ）（ｃ））、面ファスナー等で留めた状態で（図示していない）、カーテンとして使用することもできる。例えば、第一第二基材３、１９の長さＬ１（＝１４０００ｍｍ）、連結材２６の長さＬ２（＝１２００ｍｍ）とした場合（図１５（ａ））、２つ折りにして長さ２０００ｍｍのカーテンを構成できる（図１５（ｂ））ので、多用途ユニット４０を高さの短い窓に使用する丈の短いカーテンとして備蓄する場合に有効である。
【００８４】
（９）　また、前記実施例において、ホック金具３２、第一受け金具３４、第二受け金具３５は、いわゆるホックを使用したが、金具の構造は任意であり、また金具に限らず、面ファスナーを使用することもできる（図示していない）。
【００８５】
【実施例２】
図１２、１３等に基づきこの発明の他の多用途ユニット４０の実施例について説明する。
【００８６】
（１）　実施例１と同様に、所定強度で、柔軟性を有するシートからなる長方形のシート状基体１を構成し、シート状基体１を長さ方向に２分割する位置に、長さ方向と直角に、基準折り線２を形成する。基準折り線２で分割された一方（上側）を第一基材３、他方（下側）を第二基材１９とする。両基材３、１９はいずれも同一長さＬ１で形成されている（図１２（ａ）、図２）。また、シート状基体１の横縁、即ち、基準折り線２に並列した第一基材３の縁を自由端縁６、基準折り線２に並列した第二基材１９の縁を自由端縁２２とする。
【００８７】
（２）　シート状基材１の一側の縦縁に沿った裏面側、即ち、第一基材３の長さ方向に平行な一方の縦縁４から第二基材の１９の一方の縦縁２０にかけて、スライド金具を付けた１本のファスナー片１０Ａを取付ける。また、シート状基材１の他側の縦縁に沿った裏面側、即ち、第一基材３の長さ方向に平行な他方の縦縁５から第二基材の１９の他方の縦縁２１にかけて、スライド金具の無い１本のファスナー片１０Ｂを取付ける。
【００８８】
また、各基材３、１９の端縁４、５、２０、２１には三巻加工で、実施例１と同一構造で、挿入口１２を有する補強材収容部１１、１１が形成されている。
【００８９】
（３）　また、第一基材片３の自由端縁６、第二基材片１９の自由端縁２２及び基準折り線２に近接して、三巻加工により、前記実施例１と同様の構造の挿入口１６付きの補強材収容部１５を夫々形成する。また、前記実施例１と同様の構造で、第一基材片３の自由端縁６に近接して、スライド金具を付けたファスナー片１４Ａを取り付け、第二基材片１９の自由端縁２２にスライド金具が無いファスナー片１４Ｂを取付ける。
【００９０】
また、基準折り線２に沿って、補強体を取り付けできるように、補強体の両端部に被せることができる短い筒状（キャップ状）の補強材収容部３７、３７を取り付ける（図１２）。補強材収容部３７、３７は補強材の挿入口３８は、中心側に対向して配置される。この場合、補強材収容部３７の基準折り線２方向の長さは、２．５〜３．０ｃｍ程度に形成してある。
【００９１】
（４）　また、前記におけるファスナー片１０Ａ、１０Ｂ、１４Ａ、１４Ｂは、実施例１と同様に、表裏がない、いわゆるリバーシブルファスナーで、スライド金具を有するファスナー片１０Ａ（１４Ａ）とスライド金具の無いファスナー片１０Ｂ（１４Ｂ）とを任意に組み合わせて、これを閉じることができる。
【００９２】
（５）　第一基材片３の裏面８側に、前記実施例１と同様のシート状で長方形（シート状基材１とは別部材）の連結材２６を重ね、着脱自在に取り付ける。
【００９３】
連結材１６には、第一基材片３の自由端縁６側の縁２７に沿った位置、第一基材片３の自由端縁６側から距離Ｌ２の位置（実施例１の第一留め片３０の位置）、第一基材片３の自由端縁６側から距離Ｌ３の位置（実施例１の第二留め片３１の位置）に夫々スナップボタン３２、３２を直接に取り付けてある。各スナップボタン３２、３２の留め口は、第一基材片３の裏面８側に向けてある。
【００９４】
また、第一基材片３には、前記スナップボタン３２の内、第一基材片３の自由端縁６側の縁２７に沿った位置、第一基材片３の自由端縁６側から距離Ｌ２の位置（実施例１の第一受け金具３４の位置）にスナップボタン３４、３４を固定する。スナップボタン３４の留め口は裏面８側（連結材２６側）に向けてある。
【００９５】
また、第二基材片１９で、自由端２２側（実施例１の第二受け金具３５の位置）に、スナップボタン３２に対応するスナップボタン３５を固定する。スナップボタン３５の留め口は、第二基材片１９の裏面２４側に向けてある（尚、スナップボタン３５の留め口は、表面２３側に向けることもできる）。
【００９６】
また、前記におけるＬ２、Ｌ３は、実施例１と同様に、Ｌ２（Ｌ２＝１２３０ｍｍ）はテントの底辺の長さ、Ｌ３（Ｌ３＝３６０ｍｍ）は間仕切りの底辺の長さに対応して、夫々設定されている（図１２、図８）。
【００９７】
（６）　以上のようにして、多用途ユニット４０を構成する（図１２）。
【００９８】
（７）　この実施例の多用途ユニット４０は、実施例１と同様に、カーテンとして備蓄される（図１４）。例えば、体育館の窓が巾５ｍ、高さ（丈）３ｍとすると、多用途ユニット４０の巾Ｄ＝９００ｍｍとして、６ユニットを使用して、隣接する多用途ユニット４０、４０をファスナー片１０Ａ、１０Ｂで連結すると共に、実施例１と同様に、上端のファスナー片１４Ａを使用して、所定巾で下縁４４に６つのファスナー片１４Ｂを縦列したカーテン吊り片４２に連結する。
【００９９】
（８）　この実施例では、多様ユニット４０の両縦縁に１本づつのファスナー片が取り付けてあるので、実施例１の２本づつの場合に比して、分解組立が容易にできる利点がある。但し、多用途ユニットを４０を基準折り線２で折り、両基材３、１９を重ねて、簡易担架５５のような使用（図９）はできない。
【０１００】
他のテント５３（図７、図８（ｂ））、間仕切り５０、５０ａ（図６、図８（ａ））、切込み５７等を入れての衣類（図１０、図１１）としての使用は、実施例１と同様に可能である。
【０１０１】
（９）　また、前記実施例において、連結材２６は、着脱自在としたが、実施例１と同様に、一縁２７側を第一基材３の自由端縁６に沿って固定することもできる（図示していない）。また、実施例１のように、スナップボタン３２、３４、３５に代え、面ファスナーを使用することもできる（図示していない）。従って、連結材２６の取り付けに関しては、
（ａ）　着脱自在で、スナップボタンを使用、
（ｂ）　着脱自在で、面ファスナーを使用、
（ｃ）　一縁２７を固定し、下部にスナップボタンを使用
（ｄ）　一縁２７を固定し、下部に面ファスナーを使用
のバリエーションが考えられる。
【０１０２】
（１０）　また、前記実施例において、スライド金具で開閉するファスナー片に代えて、互いに係脱する面ファスナー片１０Ａ、１０Ｂ、面ファスナー片１４Ａ、１４Ｂを使用することもできる（図１４）。即ち、第一基材３の縦縁４、第二基材１９の縦縁２０に１本の面ファスナー片１０Ａを取り付け、第一基材３の縦縁５、第二基材１９の縦縁２１に１本の面ファスナー片１０Ｂを取り付け、第一基材３の自由端縁６、第二基材１９の自由端縁１５に、面ファスナー片１４Ａを夫々取り付けて、多用途ユニット４０、４０とする（図１４（ａ）〜（ｄ））。図示していない他の構成は、前記実施例と同様であるので、説明を省略してある。
【０１０３】
この場合、同様に、横方向に多用途ユニット４０、４０を連結して使用する（図１４（ｅ））。前記実施例と同様に、カーテン吊り片４２に連結してカーテンとして備蓄することもできる（図示していない）。
【０１０４】
また、このように形成した多用途ユニット４０では、カーテン吊り片４２を使用せず、既設のカーテン６５に、面ファスナー片１４Ｂを取り付けて、既設のカーテン６５に重ねて、多用途ユニット４０、４０の面ファスナー片１４Ａ、１４Ａと係止して、既設のカーテン６５に多用途ユニット４０、４０を重ねて備蓄できる（図１４（ｃ）（ｅ））。このような使用をする場合には、多用途ユニット４０、４０をカーテンから外して、テントなど使用した場合であっても、既設のカーテン６５で、当該避難所の遮光・防音・防寒等が維持できるので、避難所の住環境を更に良好とすることができる。
【０１０５】
（１１）また、その他の他の実施例は、前記実施例１と同様である。
【０１０６】
【発明の効果】
この発明の多用途ユニットは、補強材収容部に各基材を保形する補強材を挿入して収容し、連結材の係止部材を第二基材の受け部材に係止すれば、連結材を底辺として、基準折り線を頂点、第一基材、第二基材を斜辺として、三角形状に保形でき、テントや間仕切りとして使用できる。また三角形状とした多用途ユニットを並べて、隣接する縦縁を係脱手段で係止すれば、三角形状とした多用途ユニットを連結して、任意の長さを確保でき、テントとして有効である。
【０１０７】
また、基準折り線で、折り、第一基材と第二基材とを重ね、補強材収容部に補強材を収容すると共に、重なった縦縁の係脱手段を違いに係止すれば、簡易担架を構成できる効果がある。
【０１０８】
また、多用途ユニットは、補強材を収容せず、連結材と第二基材とを係止しない状態で、シート状になり、そのまま又は折り畳んで、保管すれば、場所を取らずに多数枚を保管できる効果がある。更に、多用途ユニットと係脱手段で連結できるカーテン吊り片を組み合わせれば、カーテンを構成できる。従って、多用途ユニットをカーテンとして使用して保管でき、別途の保管スペースを必要としない効果がある。
【０１０９】
また、多用途ユニットの基準折り線の周辺に切込みを形成して、係脱手段を開き、第一基材と第二基材とを重ねて、重ねた縦縁の係脱手段を閉じれば、切込みから頭を出して、衣類として使用することができ、簡易の作業着、防寒着としての機能を発揮できる。また、係脱手段を閉じて、切込みを塞げば、上記簡易テント、間仕切り、担架、カーテン等の機能を損なうことがない。
【０１１０】
また、係脱手段をリバーシブルなファスナーとすれば、係脱作業が簡易かつ確実に閉じることができる効果がある。また、連結材に、第一係止部材、第二係止部材を設ければ、底辺として連結部材の長さを選択でき、最適な形状の間仕切り又はテントを構成できる効果がある。
【０１１１】
総じて、この発明の多用途ユニットによれば、災害時の避難場所に備蓄すれば、緊急避難した住民が安心して避難生活を送る為に不可欠な材料を提供できる効果がある。
【図面の簡単な説明】
【図１】この発明の実施例の多用途ユニットで、（ａ）は正面図、（ｂ）は背面図である。
【図２】同じく、多用途ユニットと補強材との組合せを説明する正面図である。
【図３】（ａ）図１のＡ−Ａ線における拡大端面図、（ｂ）同じくＢ−Ｂ線における拡大端面図、（ｃ）同じくＣ−Ｃ線における一部拡大端面図である。
【図４】多用途ユニットを組み合わせてカーテンを構成する分解図である。
【図５】多用途ユニットで構成したカーテンを表す。
【図６】（ａ）（ｂ）は、多用途ユニットで構成した間仕切りを表す。
【図７】（ａ）（ｂ）は、多用途ユニットで構成した簡易テントを表す。
【図８】（ａ）は間仕切りの縦断面図、（ｂ）は簡易テントの縦断面図である。
【図９】（ａ）は簡易担架の斜視図、（ｂ）（ａ）のＥ−Ｅ線における拡大断面図である。
【図１０】（ａ）（ｂ）は多用途ユニットで構成した衣類を表す図である。
【図１１】（ａ）は衣類用の多用途ユニットで、（ｂ）は基準折り線付近の一部拡大図である。
【図１２】この発明の実施例２の多用途ユニットで、（ａ）は正面図、（ｂ）は背面図である。
【図１３】同じく実施例２で、多用途ユニットを組み合わせてカーテンを構成する分解図である。
【図１４】他の実施例の多用途ユニットで、（ａ）は背面図、（ａ）は正面図、（ｃ）は（ａ）のＦ−Ｆ線における断面図、（ｄ）は（ａ）のＧ−Ｇ線における断面図、（ｅ）は連結状態のＧ−Ｇにおける断面図である。
【図１５】この発明の他の実施例で、連結材をシート状基材に含ませた実施例で、（ａ）はシート状基材の正面図、（ｂ）は二つ折りにした状態の正面図、（ｃ）同じく側面図である。
【符号の説明】
１　　シート状基体
２　　基準折り線
３　　第一基材
４、５　　縦縁（第一基材）
６　　自由端縁（第一基材）
７　　表面（第一基材）
８　　裏面（第一基材）
１０Ａ、１０Ｂ　ファスナー片［係脱手段］
１１　補強材収容部
１４Ａ、１４Ｂ　ファスナー片［係脱手段］
１５　補強材収容部
１９　第二基材
２０、２１　縦縁（第二基材）
２２　自由端縁（第二基材）
２３　表面（第二基材）
２４　裏面（第二基材）
２６　連結材
２７　一縁（連結材）
２８　他縁（連結材）
２９　縦縁（連結材）
３０　第一留め片［係止部材］
３１　第二留め片［係止部材］
３２　ホック金具［係止部材］
３４　第一受け金具［受け部材］
３５　第二受け金具［受け部材］
３７　補強材収容部
４０　多用途ユニット
４２　カーテン吊り片
４５　カーテン
４７、４８　ステンレスパイプ［補強材］
５０、５０ａ　間仕切り
５３　簡易テント
５５　簡易担架
６１　衣類
６５　既設のカーテン
【図１】
2004041710.tif 000003
【図２】
2004041710.tif 000004
【図３】
2004041710.tif 000005
【図４】
2004041710.tif 000006
【図５】
2004041710.tif 000007
【図６】
2004041710.tif 000008
【図７】
2004041710.tif 000009
【図８】
2004041710.tif 000010
【図９】
2004041710.tif 000011
【図１０】
2004041710.tif 000012
【図１１】
2004041710.tif 000013
【図１２】
2004041710.tif 000014
【図１３】
2004041710.tif 000015
【図１４】
2004041710.tif 000016
【図１５】
2004041710.tif 000017